(57)【要約】【課題】収容されたテーブルを簡単に出し入れできるテーブル付き肘掛およびこれを備えた乗り物用椅子を提供する。【解決手段】上面に開口１１を有する中空箱状の肘掛本体部１２の内部に垂直状態で収容されるテーブル板１３を、スライド機構によって斜め上下にスライド移動可能に支持する。テーブル板１３の上端に小テーブルとなる蓋部１６を取り付け、テーブル板１３を収納したとき、蓋部１６が開口１１を閉じるように構成する。またテーブル板１３の上下動をダンパーで補助する。蓋部１６は、テーブル板１３のヒンジ部に取り付けてある。【選択図】図４
2006149465.tif 000002
【特許請求の範囲】
【請求項１】
開口を有する中空箱状の肘掛本体部と、
前記開口に対して垂直な状態で前記肘掛本体部に収容されるテーブル板と、
前記開口を通じて前記肘掛本体部から出没するように前記テーブル板をスライドさせるスライド機構と、
前記テーブル板の進出時スライド方向の端部に取り付けられ、前記テーブル板を前記肘掛本体部に収容した状態で前記開口を覆う蓋部と
を有する
ことを特徴とするテーブル付き肘掛。
【請求項２】
前記開口は、前記肘掛本体部の上面に設けられ、
前記スライド機構は、前記テーブル板を上下もしくは斜め上下にスライドさせるとともに、前記テーブル板を前記垂直状態と水平状態とに変位可能に支持する
ことを特徴とする請求項１に記載のテーブル付き肘掛。
【請求項３】
前記蓋部は、前記開口を覆った状態で前記肘掛本体部に設けられた小テーブルとなるように構成されている
ことを特徴とする請求項１または２に記載のテーブル付き肘掛。
【請求項４】
前記蓋部が前記テーブル板を肘掛本体部から引き出す際の取っ手となるように構成されている
ことを特徴とする請求項１または２に記載のテーブル付き肘掛。
【請求項５】
前記テーブル板の出し入れに必要な力が軽減されるように前記テーブル板を付勢する付勢機構を
有する
ことを特徴とする請求項１または２に記載のテーブル付き肘掛。
【請求項６】
前記テーブル板は、前記スライド機構に一端が支持された第１テーブル板と、前記第１テーブル板の他端にヒンジを介して取り付けられた第２テーブル板とを有し、
前記蓋部が前記ヒンジの中心軸に取り付けられている
ことを特徴とする請求項１または２に記載のテーブル付き肘掛。
【請求項７】
前記ヒンジは、前記第１テーブル板の前記他端に一端が軸支された第１リンクと、前記第２テーブル板の端部に一端が軸支された第２リンクと、前記第１リンクの他端と前記第２リンクの他端とを回動可能に軸支する中心軸とを備え、
前記第１リンクの厚み方向の側面に前記蓋部の裏面が固定されている
ことを特徴とする請求項６に記載のテーブル付き肘掛。
【請求項８】
前記蓋部は、前記第２テーブル板を開いた際に前記第１テーブルの背面と前記第２テーブルの背面の双方に裏面が当接してこれらを支持する
ことを特徴とする請求項６または７に記載のテーブル付き肘掛。
【請求項９】
請求項１、２、３、４、５、６、７または８に記載のテーブル付き肘掛を備えた乗り物用椅子。
【発明の詳細な説明】
【技術分野】
【０００１】
本発明は、肘掛の中に出し入れ可能なテーブルを収容したテーブル付き肘掛およびこれを備えた乗り物用椅子に係わり、特に、テーブルの出し入れを容易にする技術に関する。
【背景技術】
【０００２】
鉄道車両や航空機などに設置される乗り物用椅子には、飲み物などを載置するためのテーブルを肘掛の中から必要なときだけ引き出して使用するように構成されたものがある。
【０００３】
このようなタイプの肘掛は、たとえば、図１７に示すように、肘掛本体１０１の中にテーブル板１０３を収容しており、その取り出し口に蓋１０２を備えている。テーブル板１０３には、その一辺に沿って支持アーム１０４が一方へ突出するように取り付けてあり、テーブル板１０３は、この支持アーム１０４が上方でかつその突出側が椅子１００の前方を向くようにして、肘掛本体１０１内に略垂直な状態で収容される。そして、この状態で支持アーム１０４の突出側端部は、肘掛本体１０１内の上部前端近傍で回転軸１０５により当該支持アーム１０４が垂直面内で回動可能なように軸支されている。さらにテーブル板１０３は支持アーム１０４に、これを軸として９０度の範囲で回動するように取り付けられている。
【０００４】
テーブルを利用するときは、肘掛本体１０１の上部にある蓋１０２を開き、肘掛本体１０１の中からテーブル板１０３を、その後端を持って矢印Ａで示すように手前に１８０度回転させて引き出す。そして、この垂直状態のテーブル１０３を矢印Ｂで示すように支持アーム１０４を軸として９０度回転させ、水平な状態にして使用するようになっている（特許文献１参照）。
【０００５】
【特許文献１】特開２００２−１０８７４号公報
【発明の開示】
【発明が解決しようとする課題】
【０００６】
上記のような操作でテーブル板を肘掛から取り出す方式では、テーブルを使用するまでに、肘掛本体部の蓋を開けるという動作と、肘掛本体部に収納されているテーブル板の後端を持ち、ここを比較的大きな円弧で１８０度回転させるという動作と、垂直状態から水平状態へテーブル板を倒すという動作とを要するので、利用者の操作負担が大きいという問題があった。
【０００７】
特に、テーブル板を１８０度回転させる動作は、テーブル板の重みから操作負担が大きいとともに、動作を乱雑に行なったり、動作の途中で手を放したりすると、ストッパーに当たる衝撃でテーブル自体が損傷する可能性がある。また、振動や耳障りな衝撃音が発生して快適な車内環境が阻害されるという問題があった。これらの問題は、テーブル収納時にも同様に発生する。
【０００８】
本発明は、上記の問題を解決しようとするものであり、肘掛に収容されたテーブルの出し入れに伴う操作負担を軽減することのできるテーブル付き肘掛およびこれを備えた乗り物用椅子を提供することを目的としている。
【０００９】
また本発明は、テーブルを出し入れする際の衝撃を緩和することのできるテーブル付き肘掛およびこれを備えた乗り物用椅子を提供することを目的としている。
【課題を解決するための手段】
【００１０】
請求項１に係わる発明は、開口（１１）を有する中空箱状の肘掛本体部（１２）と、
前記開口（１１）に対して垂直な状態で前記肘掛本体部（１２）に収容されるテーブル板（１３）と、
前記開口（１１）を通じて前記肘掛本体部（１２）から出没するように前記テーブル板（１３）をスライドさせるスライド機構（１４）と、
前記テーブル板（１３）の進出時スライド方向の端部に取り付けられ、前記テーブル板（１３）を前記肘掛本体部（１２）に収容した状態で前記開口（１１）を覆う蓋部（１６）と
を有する
ことを特徴とするテーブル付き肘掛である。
【００１１】
上記発明によれば、テーブル板（１３）を肘掛本体部（１２）に収容すると蓋部（１６）が肘掛本体部（１２）の開口（１１）を覆い、この状態から蓋部（１６）を持ち上げるなどして肘掛本体部（１２）から引き離すと、蓋部（１６）とともにテーブル板（１３）がスライド移動し、肘掛本体部（１２）の中からテーブル板（１３）が引き出される。すなわち、テーブル板（１３）の出し入れ動作が蓋部（１６）の開閉動作を兼ねるようになる。テーブル板（１３）のスライド方向は、上下方向や斜め上下方向のほか前後方向でもかまわない。
【００１２】
請求項２に係わる発明は、前記開口（１１）は、前記肘掛本体部（１２）の上面に設けられ、
前記スライド機構（１４）は、前記テーブル板（１３）を上下もしくは斜め上下にスライドさせるとともに、前記テーブル板（１３）を前記垂直状態と水平状態とに変位可能に支持する
ことを特徴とする請求項１に記載のテーブル付き肘掛である。
【００１３】
上記発明によれば、蓋部（１６）を上方または斜め上方に持ち上げると、テーブル板（１３）が垂直な状態で肘掛本体部（１２）から引き出され、その後、テーブル板（１３）を水平に倒すと使用可能な状態になる。
【００１４】
請求項３に係わる発明は、前記蓋部（１６）は、前記開口（１１）を覆った状態で前記肘掛本体部（１２）に設けられた小テーブルとなるように構成されている
ことを特徴とする請求項１または２に記載のテーブル付き肘掛である。
【００１５】
上記発明によれば、テーブル板（１３）を肘掛本体部（１２）に収容した状態で蓋部（１６）が小テーブルとなる。すなわち、蓋部（１６）は、物を載置できる平らな板状部分を表面の少なくとも一部に備え、好ましくは、飲み物の缶の底部に対応する大きさの円形の窪みを有する。
【００１６】
請求項４に係わる発明は、前記蓋部（１６）が前記テーブル板（１３）を肘掛本体部（１２）から引き出す際の取っ手となるように構成されている
ことを特徴とする請求項１または２に記載のテーブル付き肘掛である。
【００１７】
上記発明によれば、蓋部（１６）がテーブル板（１３）を出し入れする際の取っ手になる。たとえば、蓋部（１６）を閉じた状態で蓋部（１６）の裏面に指を引っ掛けることができるように、開口（１１）の周縁を一部切欠くようにするとよい。蓋部（１６）自体に取っ手となる窪みや突起を設けてもよい。
【００１８】
請求項５に係わる発明は、前記テーブル板（１３）の出し入れに必要な力が軽減されるように前記テーブル板（１３）を付勢する付勢機構（１５）を
有する
ことを特徴とする請求項１または２に記載のテーブル付き肘掛である。
【００１９】
上記発明によれば、テーブル板（１３）を出し入れするための補助力が付勢機構（１５）により与えられる。なお、付勢機構（１５）は、テーブル板（１３）収納時の衝撃を緩和するダンパーとしても作用する。
【００２０】
請求項６に係わる発明は、前記テーブル板（１３）は、前記スライド機構（１４）に一端が支持された第１テーブル板（５１）と、前記第１テーブル板（５１）の他端にヒンジを介して取り付けられた第２テーブル板（５２）とを有し、
前記蓋部（１６）が前記ヒンジの中心軸（９３）に取り付けられている
ことを特徴とする請求項１または２に記載のテーブル付き肘掛である。
【００２１】
上記発明によれば、テーブル板（１３）は、第１テーブル板（５１）と第２テーブル板（５２）とをヒンジで接続した折畳み式のテーブルであり、ヒンジの中心軸（９３）に蓋部（１６）を取り付けたことにより、折畳み状態でテーブル板（１３）を肘掛本体部（１２）に収容したとき、蓋部（１６）がちょうど開口（１１）を覆うようになる。また、蓋部（１６）をヒンジの中心軸（９３）に取り付けたので、第１テーブル板（５１）および第２テーブル板（５２）と蓋部（１６）との相対角度を適宜変えることが可能になる。すなわち、収納時には、各テーブル板（１３）と蓋部（１６）とを直角な位置関係とし、テーブル使用時には、折畳み状態でも展開状態でも、蓋部（１６）をテーブル板（１３）と平行な位置関係に変えて使用できるようになる。
【００２２】
請求項７に係わる発明は、前記ヒンジは、前記第１テーブル板（５１）の前記他端に一端が軸支された第１リンク（６１）と、前記第２テーブル板（５２）の端部に一端が軸支された第２リンク（７０）と、前記第１リンク（６１）の他端と前記第２リンク（７０）の他端とを回動可能に軸支する中心軸（９３）とを備え、
前記第１リンク（６１）の厚み方向の側面に前記蓋部（１６）の裏面が固定されている
ことを特徴とする請求項６に記載のテーブル付き肘掛である。
【００２３】
上記発明によれば、テーブル板（１３）を、収納状態、折畳み状態、展開状態に変位させる際に各テーブル板（１３）の厚みが変位の支障となるところを、リンクの長さによってテーブル板（１３）の厚み分を吸収してテーブル板（１３）同士の衝突やテーブル板（１３）と蓋部（１６）との衝突を防いで円滑な変位が確保される。第１リンク（６１）、第２リンク（７０）の長さは、テーブル板（１３）の厚みに相当するように設定するとよい。
【００２４】
請求項８に係わる発明は、前記蓋部（１６）は、前記第２テーブル板（５２）を開いた際に前記第１テーブルの背面と前記第２テーブルの背面の双方に裏面が当接してこれらを支持する
ことを特徴とする請求項６または７に記載のテーブル付き肘掛である。
【００２５】
上記発明によれば、テーブルを開いて使用するとき、第１テーブル板（５１）と第２テーブル板（５２）とが背面から蓋部（１６）の裏面で支持され、一枚板の状態となるように補強される。
【００２６】
請求項９に係わる発明は、請求項１、２、３、４、５、６、７または８に記載のテーブル付き肘掛を備えた乗り物用椅子（２）である。
【００２７】
本発明に係わる乗り物用椅子（２）は、鉄道列車に好適であるが、航空機や自動車などでもよい。
【発明の効果】
【００２８】
本発明に係わるテーブル付き肘掛およびこれを用いた乗り物用椅子によれば、肘掛本体部の蓋部を上げ下げなどすると、この蓋部と一体となってテーブル板が肘掛本体部から出没するので、蓋部の開け閉め動作とテーブル板の出し入れ動作とを１つの動作で行なうことができ、操作性が向上する。
【００２９】
また、テーブル板をスライド機構によって出し入れするようにしたので、回転収納機構の場合に比べて、テーブル板の収納スペースを縮小することができる。
【００３０】
テーブル板の収納時に蓋部が肘掛本体部に設けられた小テーブルとなるように構成したものでは、テーブル板を取り出して展開しなくても、飲み物や小物を蓋部に置くことができ、使い勝手が向上する。
【００３１】
また、蓋部がテーブル板を出し入れする際の取っ手として機能するものでは、蓋部の握持が容易となって操作性が向上する。
【００３２】
テーブル板の出し入れに必要な力が軽減されるようにテーブル板を付勢機構で付勢したものでは、少ない力でテーブル板の出し入れが可能になり、操作負担が軽減する。また、付勢機構がダンパーとしても作用するので、テーブル板収納時の衝撃が緩和される。
【００３３】
テーブル板を第１テーブル板と第２テーブル板との折畳み式とし、そのヒンジの中心軸に蓋部を取り付けたものでは、折畳み状態でテーブル板を肘掛本体部に収容したとき、蓋部がちょうど開口を覆うようにすることができる。また、蓋部をヒンジの中心軸に取り付けたので、収納時には各テーブル板と蓋部とを直角な位置関係とし、テーブル使用時には、蓋部をテーブル板と平行な位置に変位させることができ、蓋部が邪魔にならずにテーブルを使用することができる。
【００３４】
特に、ヒンジをリンク構成にしたものでは、テーブル板の厚みが、テーブルを収納状態、折畳み状態、展開状態に変位させる際の支障にならないようにすることができ、円滑な展開・収納動作が可能になる。また、第１リンクの厚み方向の側面に蓋部の裏面を固定したので、蓋部と第１リンクとが一体となって変位し、収納時・使用時のそれぞれに応じた適切な向きに蓋部を位置させることができる。
【００３５】
テーブルを展開して使用するとき、第１テーブル板と第２テーブル板とをそれらの背面から蓋部の裏面で支持するようにしたものでは、展開した２枚のテーブル板が一枚板の状態を維持するように補強される。
【発明を実施するための最良の形態】
【００３６】
以下、図面に基づき本発明の実施の形態を説明する。
【００３７】
図１は、本発明に係わるテーブル付き肘掛１０を適用した乗り物用椅子としての車両用シート２の一例を表わしている。この車両用シート２は二人掛けのリクライニングシートであり、中央に二人分のテーブル付き肘掛１０が設けてある。
【００３８】
図２および図３は、テーブル付き肘掛１０の内部構造の主要部を表わしている。また、図４および図５は、テーブル付き肘掛１０の外観を表わしている。なお図２および図４はテーブル板１３を引き出した状態であり、図３および図５はテーブル板１３を収納した状態である。
【００３９】
テーブル付き肘掛１０は、開口１１を備えた中空箱状の肘掛本体部１２と、開口１１に対して垂直な状態で肘掛本体部１２に収容される折畳み式のテーブル板１３と、開口１１を通じて肘掛本体部１２から出没するようにテーブル板１３をスライドさせるスライド機構１４と、出し入れに必要な力が軽減されるようにテーブル板１３を付勢する付勢機構１５と、テーブル板１３の進出時スライド方向の端部に取り付けられ、テーブル板１３を肘掛本体部１２に収容した状態で開口１１を覆う蓋部１６とを備えている。
【００４０】
スライド機構１４は、肘掛本体部１２の内壁に図示省略の固定金具で固定された平行な２本のスライドレール２１と、スライドレール２１に沿ってスライド移動するスライド片２２と、スライド片２２に取り付けられた移動ベース板２３とから構成される。各スライドレール２１は、その上部側が車両用シート２の前方に向けてわずかに傾斜するようにして斜め上下に配置されている。移動ベース板２３の上部の両端にはそれぞれ上方へ突出する支持腕２４が設けてある。テーブル板１３の端部からは各支持腕２４に対応する箇所に連結腕２５が突出しており、垂直状態と水平状態とにテーブル板１３が回動し得るように支持腕２４に連結腕２５が軸２６で軸支されている。
【００４１】
付勢機構１５は、回転アーム３１とダンパー３２とから構成される。回転アーム３１は、スライドレール２１の上下方向中央付近でかつスライドレール２１に対して肘掛１０の後方側へ所定の長さ離れた箇所においてその基端部３３が軸３４で軸支されている。回転アーム３１の先端近傍にはアームの長手方向に沿って長穴３５が形成してあり、移動ベース板２３に設けた係合ピン３６がこの長穴３５に嵌め込んである。
【００４２】
ダンパー３２の一端は回転アーム３１の基端部３３に軸支され、他端は、圧縮したダンパー３２の全長よりやや長い距離だけ下方で軸支されている。ダンパー３２は、シリンダ内にピストンロッドが出入りすることで全長が伸縮する構造を備えている。ピストンロッドはシリンダから進出する方向に油圧もしくはガス圧で付勢されている。ダンパー３２は、シリンダ内にピストンロッドが没入方向の衝撃に対しては、その衝撃を緩和するように作用する。
【００４３】
図６に示すようにダンパー３２は、テーブル板１３が肘掛本体部１２の中に完全に収容される僅か手前のデッドポイント３８より進出側にある間はテーブル板１３が進出する方向（図６の矢印Ｃ方向）に回転アーム３１を付勢する。一方、デッドポイント３８より収納側の領域ではテーブル板１３を肘掛本体部１２内に引き込む方向（図６の矢印Ｄ方向）に回転アーム３１を付勢するような位置関係に取り付けられている。なおデッドポイント３８では、ダンパー３２の延長線上に軸３４が位置し、ダンパー３２が回転アーム３１に回転力を与えない状態となる。
【００４４】
図４、図５に示すように、開口１１の周縁には、その一部に切欠き４１が設けてあり、収納状態のテーブル板１３を引き出す際に、この切欠き４１を利用して蓋部１６の裏側に指を引っ掛けることができるようになっている。なお、テーブル板１３を肘掛１０の斜め前方上方へ引き出すので、図４に示すように肘掛本体部１２の前面にも開口１１ａを設けてある。
【００４５】
蓋部１６の表面には、円形の浅い窪みをなすカップホルダ部４２が設けてある。蓋部１６は、樹脂板などで構成される。
【００４６】
テーブル板１３は、第１テーブル板５１と、第２テーブル板５２と、ヒンジ部５３とから構成される。テーブル板１３は、収納状態および引き出し状態では第１テーブル板５１と第２テーブル板５２とを重ねた折畳み状態とされ、使用時には、折畳み状態もしくは第１テーブル板５１と第２テーブル板５２とを一枚板となるように広げた展開状態とされる。
【００４７】
図７は、展開状態のテーブル板１３を上方から見た様子を示している。なお、使用時には、肘掛本体部１２から垂直状態で引き出されたテーブル板１３は、支持腕２４と連結腕２５とを接合する軸２６（図４参照）を中心に９０度回動され、図７に示すような水平状態にセットされる。水平状態となったとき、開口１１の周縁がちょうど第１テーブル板５１の裏面に当接して安定を確保するようになっている。
【００４８】
上記のような構成により、利用者は、切欠き４１から蓋部１６の裏面に指を掛けて蓋部１６を引き上げるという１つの動作で、収納状態にあったテーブル板１３を肘掛本体部１２から引き出すことができる。その結果、蓋を開ける動作とテーブル板を引き出す動作とが別動作になっている従来のものに比べて操作工程が減り、使い勝手が良くなる。
【００４９】
また、付勢機構１５によってアシストされているので、テーブル板１３を軽い力で引き出すことができる。また、テーブル板１３を収納する動作においてデッドポイント３８を越えると付勢機構１５によってテーブル板１３が収納完了位置に向けて付勢されるので、安定した収納状態が確保される。
【００５０】
さらに、テーブル板１３を収納する際の衝撃が付勢機構１５によって緩和されるので、収納途中で蓋部１６から手を離しても、蓋部１６やテーブル板１３に損傷を与えることがない。
【００５１】
また、収納時には蓋部１６を小テーブルとして使用できるので、テーブル板１３を取り出さなくても飲み物などを載置することができ、テーブル板を取り出さない分、膝上の空間が広くなり、リラックスした姿勢で着座することが可能になる。
【００５２】
次に、テーブル板１３および蓋部１６の構造について詳述する。
【００５３】
図８は、蓋部１６を各種方向から見た様子を示しており、同図（ａ）は蓋部１６の上面を、同図（ｂ）は蓋部１６の側面を、同図（ｃ）は蓋部１６の裏面を、同図（ｄ）は蓋部１６の正面をそれぞれ示している。
【００５４】
蓋部１６の裏面の前端近傍および後端近傍にはそれぞれ第１リンク６１ａ、６１ｂが蓋部１６の裏面から突出するように設けてある。これらの第１リンク６１は、蓋部１６の裏面に沿って蓋部１６の幅方向に延びており、その両端に第１軸穴６２と第２軸穴６３とを備えている。これらの軸穴６２、６３は蓋部１６の前後方向に開通している。すなわち、蓋部の裏面に第１リンク６１の厚み方向の側面が固定された状態となっている。
【００５５】
第１軸穴６２と第２軸穴６３との中心間距離Ｌ１は、第１テーブル板５１の厚みとほぼ等しい。また、第１リンク６１の高さＬ２も第１テーブル板５１の厚みとほぼ等しい。両端の第１リンク６１ａ、６１ｂは互いに向かい合うように配置されており、それぞれの第１軸穴６２同士が同一軸上に、第２軸穴６３同士が同一軸上となっている。第１リンク６１の第２軸穴６３側の端部は蓋部１６の裏面と接する側の角は直角に処理され、他方の角はＬ２を直径とする中心角９０度の円弧で面取りされている。
【００５６】
第１リンク６１ａと第１リンク６１ｂとの間には、第１軸穴６２の軸上に長く延びたヒンジ基部６５が設けてある。ヒンジ基部６５の高さおよび幅は第１テーブル板５１の厚みと同一になっており、断面形状は、その頭部が第１テーブル板５１の厚みを直径とする半円を成し、この半円の両側にそれぞれ裾広がりとなるように同一半径で中心角９０度円弧を繋げた形状を成している。ヒンジ基部６５の端部と第１リンク６１ａ、６１ｂとの間にはそれぞれ所定距離の隙間６６が設けてある。また、ヒンジ基部６５の両端から内方に向けて所定の深さの軸穴６７が第１リンク６１の第１軸穴６２と同軸に設けてある。
【００５７】
図９は、第２リンク７０の正面（同図（ａ））および側面（同図（ｂ））を示している。第２リンク７０の幅Ｌ３は、図８の隙間６６と同一であり、高さは第１リンク６１と同様にＬ２（第１テーブル板５１の厚みと同じ）になっている。第２リンク７０には、第３軸穴７１と第４軸穴７２とが開設してある。第３軸穴７１と第４軸穴７２との中心間距離は、第１リンク６１における第１軸穴６２と第２軸穴６３との中心間距離Ｌ１と同じになっている。第４軸穴７２側の端部は直径Ｌ２の半円状に面取りされており、第３軸穴７１側の端部はその一方の角が直角に、他方の角が直径Ｌ２で中心角９０度の円弧で面取りしてある。
【００５８】
第２リンク７０は、第４軸穴７２が第１リンク６１ａ、６１ｂの第１軸穴６２と同軸となるように隙間６６に嵌め込まれ、第１リンク６１の第１軸穴６２からヒンジ基部６５の軸穴６７に所定距離入る所まで貫通するピンで軸支されるように取り付けられる。このとき、第２リンク７０を蓋部１６の裏面に対して垂直に立てた状態で第３軸穴７１側の端部のうち面取りしてある円弧状の角が第２軸穴６３側となる向きで取り付けられる。
【００５９】
図１０は、第１テーブル板５１の上面（同図（ａ））と正面（同図（ｂ））とを示している。図中、第１テーブル板５１の左端部には連結腕２５が設けてある。第１テーブル板５１の右端部には、図８に示した第１リンク６１ａ、６１ｂと対応する箇所にそれぞれ切欠き８１が設けてある。この切欠き８１は、第１リンク６１のうち第２軸穴６３のある側の端部がちょうど嵌り込むように設定さている。また、各切欠き８１に第１リンク６１を嵌めた状態でその第２軸穴６３と同軸となるように軸穴８２が第１テーブル板５１の正面および背面からそれぞれ切欠き８１を越えて所定距離進行した所まで形成されている。
【００６０】
図１１は、第２テーブル板５２の上面（同図（ａ））と正面（同図（ｂ））とを示している。図中、第２テーブル板５２に左端部には、図８に示した隙間６６と対応する箇所にそれぞれ切欠き８５が設けてある。この切欠き８５は、図９に示した第２リンク７０の第４軸穴７２側の端部がちょうど嵌り込む大きさに設定されている。また、各切欠き８５に第２リンク７０を嵌めた状態でその第４軸穴７２と同軸となるように軸穴８６が第２テーブル板５２の正面および背面からそれぞれ切欠き８５を越えて所定距離進行した所まで形成されている。
【００６１】
図１２は、第１テーブル板５１と第２テーブル板５２と蓋部１６とを連結してヒンジ部を形成する様子を示している。図１２は、テーブル板１３の後端側のヒンジ部を示している。同図（ａ）の矢印Ｇで示すように、第１テーブル板５１の切欠き８１に蓋部１６の裏面にある第１リンク６１ｂの第２軸穴６３側の端部を嵌め込み、第２軸穴６３を貫通するように軸穴８２にピン９１を通し（同図（ｂ）左部）、第１リンク６１の一端に第１テーブル板５１を軸支する。
【００６２】
また、同図（ａ）の矢印Ｈで示すように、第２テーブル板５２の切欠き８５に第２リンク７０の第４軸穴７２側の端部を嵌め込み、第４軸穴７２を貫通するように軸穴８６にピン９２を通し（同図（ｂ）右部）、第２リンク７０の一端に第２テーブル板５２を軸支する。さらに、同図（ａ）の矢印Ｉで示すように、第２リンク７０の第３軸穴７１側の端部を蓋部１６の裏面にある隙間６６に嵌め込み、第３軸穴７１を貫通するように第１軸穴６２にピン９３を通し（同図（ｂ）中央）、第１リンク６１の他端と第２リンク７０の他端とをピン９３で回動可能に連結する。テーブル板１３の前端側接続箇所においても同様の接続が行なわれる。
【００６３】
図１３は、テーブル板１３を肘掛本体部１２に収納した状態もしくは開口１１から引き出した状態でのヒンジ部近傍を示している。なお、第１リンク６１および第２リンク７０は簡略化して図示してある。収納時は、第１テーブル板５１と第２テーブル板５２とは重なる状態に折畳まれ、蓋部１６はこれらと直角な位置関係になる。
【００６４】
図１４は、折畳み状態での使用時におけるヒンジ部近傍を示している。第１テーブル板５１と第２テーブル板５２とを重ねた状態のまま水平状態に倒して使用される。図１３の状態のままで水平にしたのでは、蓋部１６がテーブル５１、５２の端部で垂直となって邪魔になる。そこで、図１４に示すように、蓋部１６の裏面が第１テーブル板５１の背面と当接するまで蓋部１６を、第１リンク６１と第１テーブル板５１とを連結するピン９１を中心に回動させて水平状態にして使用する。このように蓋部１６を回動させると、第２リンク７０を介して連結されている第２テーブル板５２も図１４に示す位置に変位する。この変位においてピン９２を中心に第２リンク７０と第２テーブル板５２とが相対的に９０度回動している。
【００６５】
図１５は、展開状態でのヒンジ部近傍を示している。図１４に示す状態から第２テーブル板５２を９０度回動させて垂直な状態になるまでは、ピン９２を中心に回動し、その後は、ピン９３を中心に水平状態となるまで回転する。展開状態となったとき、蓋部１６の裏面が第１テーブル板５１の背面と第２テーブル板５２の背面の双方に当接し、第１テーブル板５１と第２テーブル板５２とが一枚板となるように蓋部１６の裏面で補強される。
【００６６】
図１６は、第２リンク７０のうち中心角９０度の円弧で面取りした角と直角な角とを有する端部と第２テーブル板５２の切欠き８５内の端面との接触状態を説明したものである。第３軸穴７１を中心に第２テーブル板５２が回動すると、同図（ａ）の状態では、第２リンク７０の上面７５と第２テーブル板５２の切欠き８５内端面８５ａとが面接触し、矢印Ｅの方向へのこれ以上の回転が阻止される。一方、同図（ｂ）に示すように逆方向（矢印Ｆ方向）への回転は、第２リンク７０の上部の角が面取りされた円弧状の面７６を成しているので、端面８５ａと線接触となって、支障なく行なわれる。
【００６７】
しかしながら、同図（ｃ）に示すように水平な状態まで第２テーブル板５２を回転させると、今度は、面取りされていない角を成す端面７７と第２テーブル板５２の切欠き８５内端面８５ａとが面接触するので、それ以上の回転が阻止される。このような現象は、第１リンク６１と第１テーブル板５１の切欠き８１内の端面との間でも生じる。その結果、展開状態にした場合に第１テーブル板５１と第２テーブル板５２とが１８０度開いた一枚板の状態に保持され、それ以上の角度に開くことが防止される。
【００６８】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６９】
たとえば、実施の形態では、２人掛けの椅子のセンター肘掛に本発明のテーブル付き肘掛１０を適用したが、両端の肘掛をテーブル付き肘掛１０としてもよいし、３人掛けなど他の椅子の肘掛に採用してもよい。
【００７０】
また、実施の形態ではテーブル板１３を折畳み式のテーブルとしたが、折畳み式でなく一枚物のテーブルでもよい。スライド機構１４や付勢機構１５の構造は、実施の形態で例示したものに限定されない。たとえば、パンタグラフ式やその他の付勢機構でもかまわない。
【図面の簡単な説明】
【００７１】
【図１】テーブル付き肘掛を適用した車両用シートの一例を示す斜視図である。
【図２】本発明の実施の形態に係わるテーブル付き肘掛のテーブル引き出し状態における内部構造の主要部を示す断面図である。
【図３】本発明の実施の形態に係わるテーブル付き肘掛のテーブル収納状態における内部構造の主要部を示す断面図である。
【図４】本発明の実施の形態に係わるテーブル付き肘掛のテーブル引き出し状態を表わす斜視図である。
【図５】本発明の実施の形態に係わるテーブル付き肘掛のテーブル収納状態を表わす斜視図である。
【図６】デッドポイントの前後における付勢機構の付勢方向を示す説明図である。
【図７】展開状態のテーブル板を上方から見た様子を示す上面図である。
【図８】蓋部を各種方向から見た状態を示す説明図である。
【図９】第２リンクの正面図および側面図である。
【図１０】第１テーブル板の上面図および正面図である。
【図１１】第２テーブル板の上面図および正面図である。
【図１２】第１テーブル板と第２テーブル板と蓋部とを連結してヒンジ部を形成する様子を示す説明図である。
【図１３】テーブル収納時もしくは引き出し時におけるヒンジ部近傍を示す説明図である。
【図１４】折畳み状態での使用時におけるヒンジ部近傍を示す説明図である。
【図１５】展開状態のヒンジ部近傍を示す説明図である。
【図１６】第２リンクと切欠き８５との接触状態を示す説明図である。
【図１７】従来から使用されているテーブル付き肘掛を示す説明図である。
【符号の説明】
【００７２】
２…車両用シート
１０…テーブル付き肘掛
１１…開口
１１ａ…前部の開口
１２…肘掛本体部
１３…テーブル板
１４…スライド機構
１５…付勢機構
１６…蓋部
２１…スライドレール
２２…スライド片
２３…移動ベース板
２４…支持腕
２５…連結腕
２６…軸
３１…回転アーム
３２…ダンパー
３３…基端部
３４…回転アームの基端部を支持する軸
３５…回転アーム先端の長穴
３６…係合ピン
３８…デッドポイント
４１…開口の周縁に設けた切欠き
４２…カップホルダ部
５１…第１テーブル板
５２…第２テーブル板
５３…ヒンジ部
６１、６１ａ、６１ｂ…第１リンク
６２…第１軸穴
６３…第２軸穴
６５…ヒンジ基部
６６…第１リンクとヒンジ基部との隙間
６７…ヒンジ基部の軸穴
７０…第２リンク
７１…第３軸穴
７２…第４軸穴
７５…第２リンクの上面
７６…面取りされた円弧状の面
７７…面取りされていない角の端面
８１…第１テーブル板の切欠き
８２…第１テーブル板の軸穴
８５…第２テーブル板の切欠き
８５ａ…切欠き奥の端面
８６…第２テーブル板の軸穴
９１…第１テーブル板と第１リンクを連結するピン
９２…第２テーブル板と第２リンクとを連結するピン
９３…第１リンクと第２リンクとを連結するピン
【図１】
2006149465.tif 000003
【図２】
2006149465.tif 000004
【図３】
2006149465.tif 000005
【図４】
2006149465.tif 000006
【図５】
2006149465.tif 000007
【図６】
2006149465.tif 000008
【図７】
2006149465.tif 000009
【図８】
2006149465.tif 000010
【図９】
2006149465.tif 000011
【図１０】
2006149465.tif 000012
【図１１】
2006149465.tif 000013
【図１２】
2006149465.tif 000014
【図１３】
2006149465.tif 000015
【図１４】
2006149465.tif 000016
【図１５】
2006149465.tif 000017
【図１６】
2006149465.tif 000018
【図１７】
2006149465.tif 000019